(57)【要約】      （修正有）【課題】製氷後の球形氷の取り出しが容易に、手早くできる球形氷製造容器の提供。【解決手段】球形氷製造容器において、外カップの上端面に外鍔周片の下面を当接させ、内カップを外カップ内に収納した状態で、内カップの側面と底部を囲う空気層が形成され、球殻内に第１製氷室が形成され、下部フランジの下面を外装筒の上端面に当接させた状態で、球殻を内カップ体上部内に収納し、内カップと下半球殻により第２製氷室が形成され、上部フランジと下部フランジの角部の位置をずらした状態で、上部フランジの角部を引上げ摘み片とする構成とすること、にある。【選択図】              図１
2004177087.tif 000002
【特許請求の範囲】
【請求項１】
有底筒状の外カップ（２７）と、
有底円筒状の内カップ（２２）の上端から外鍔周片（２３）を介して外装筒（２４）を立設した内カップ体（２１）と、底部に複数個の小孔（１３）を形成した下半球殻（１２）の上端から鍔周片（１８）を介して内側筒（１７）を立設し、該内側筒（１７）の上端から周縁形状が矩形状の下部フランジ（１９）を付設した球殻下部（１１）と、頂部に空気孔（３）を形成し、前記下半球殻（１２）と回動可能にアンダーカット状に密嵌合し、球殻（９）を形成する上半球殻（２）の外表面下端部近傍の周縁から起立筒（５）を立設し、該起立筒（５）の上端から周縁形状が矩形状の上部フランジ（６）を付設した球殻上部（１）を有し、前記外カップ（２７）の上端面に前記外鍔周片（２３）の下面を当接させ、前記内カップ（２２）を外カップ（２７）内に収納した状態で、内カップ（２２）の側面と底部を囲う空気層（３３）が形成され、前記球殻（９）内に第１製氷室（３１）が形成され、前記下部フランジ（１９）の下面を外装筒（２４）の上端面に当接させた状態で、前記球殻（９）を前記内カップ体（２１）上部内に収納し、内カップ（２２）と前記下半球殻（１２）により第２製氷室（３２）が形成され、前記上部フランジ（６）と下部フランジ（１９）の角部の位置をずらした状態で、該フランジ（６）の角部を引上げ摘み片（８）とする構成とした球形氷製造容器。
【請求項２】
フランジ（６）およびフランジ片（１９）の周縁形状を略正４角形とした、請求項１記載の球形氷製造容器。
【発明の詳細な説明】
【０００１】
【発明の属する技術分野】
本発明は、一般的な家庭用冷凍庫にて球形のオンザロック用透明氷を形成するための容器に関する。
【０００２】
【従来の技術】
従来、一般的な家庭用冷凍庫で製氷するには冷凍庫に付属している製氷皿を使用する。この製氷皿は金属または合成樹脂製であり内に仕切りを入れて略立方体の氷を作るのが常であった。しかしこのような製氷皿で作られる氷が透明にならず気泡が氷中に残り多くの場合白濁してしまう。
【０００３】
オンザロック用の気泡の無い透明な球形氷を作るための従来技術として特許文献１には、製氷外皿が有する断熱材と空気層によって製氷器の上方より結氷を始めさせ、製氷内皿と上蓋にて形成される第１製氷室で透明な氷を精製した後、小孔を通して第２製氷室に白濁した空気の泡を閉じ込めて結氷させ、その後第１製氷室にて精製された透明なオンザロック用の氷を取り出す製氷器についての記載がある。
【０００４】
また、非特許文献１には球形氷を作るための容器についての記載があり、その形状および構造の概容を図６、図７に示した。
この容器は有底円筒状の外カップ２７’、内カップ体２１’、球殻下部１１’および球殻上部１’の部材から構成され、これらの部材の組付けにより球形の第１製氷室３１’と、その下に第２製氷室３２’、この第２製氷室３２’の側面、底面を囲う空気層３３’を形成し、第１製氷室３１’および第２製氷室３２’に水を満たして冷凍庫内で凍らせるものである。
【０００５】
空気層３３’を設けることにより、第１製氷室３１’の上部より結氷が始まり、結氷は徐々に下方へと進行するが、水中に含まれる気泡は結氷による体積膨張により未結氷の水に伴って球殻下部１１’の下半球殻１２’の底部に開口した小孔１３’を通過して第２製氷室３２’に移動する、この結果、最も遅れて結氷する第２製氷室３２’の略中央部分は気泡３４’で白濁した状態となる。
【０００６】
そして、嵌合部（係止周条１６’と係止周片４’）により組付けた球殻下部１１’と球殻上部１’を、球殻上部１’に付設した摘み片７’等を利用して球殻下部１１’と球殻上部１’を相対的に回動させたりしながら、分解して球形氷を取り出して使用する。
【０００７】
【特許文献１】
特開２００２−１５６１７３号公報
【非特許文献１】
サントリー株式会社、“ＳＵＮＴＯＲＹ  ＷＨＩＳＫＹ  善／透明まんまる氷製氷器Ｑ＆Ａ”、〔平成１４年１１月１日検索〕、インターネット＜ＵＲＬ：ｈｔｔｐ／／ｗｗｗ．ｓｕｎｔｏｒｙ．ｃｏ．ｊｐ／ｗｈｉｓｋｙ／ｚｅｎ／ｓａｉｊｉｋｉ／ｍａｎｍａｒｕ／ｑａｎｄａ２／ｉｎｄｅｘ．ｈｔｍｌ＞
【０００８】
【発明が解決しようとする課題】
しかしながら、上記図６、７に示した容器においては、嵌合部でのアンダーカット状に組付いている球殻上部と球殻下部とを容易に引き離す手段が無く、このため嵌合部等の隙間での氷結、あるいは上半球殻あるいは下半球殻と球形氷との氷結を十分解除する必要があり、何度も水を懸けたり、数分間放置したりするため、手間と時間を要すると共に、かなりの力を要する。
【０００９】
そこで、本発明は、上記した従来技術における問題点を解消すべく創案されたもので、製氷後の球形氷の取り出しが容易に、手早くできる球形氷製造容器の提供を目的とする。
【００１０】
【課題を解決するための手段】
上記技術的課題を解決する本発明の内、請求項１記載の発明の手段は、
有底筒状の外カップを有すること、
有底円筒状の内カップの上端から外鍔周片を介して外装筒を立設した内カップ体を有すること、
底部に複数個の小孔を形成した下半球殻の上端から鍔周片を介して内側筒を立設し、この内側筒の上端から周縁形状が矩形状の下部フランジを付設した球殻下部を有すること、
頂部に空気孔を形成し、下半球殻と回動可能にアンダーカット状に密嵌合し、球殻を形成する上半球殻の外表面下端部近傍の周縁から起立筒を立設し、該起立筒の上端から周縁形状が矩形状の上部フランジを付設した球殻上部を有すること、外カップの上端面に外鍔周片の下面を当接させ、内カップを外カップ内に収納した状態で、内カップの側面と底部を囲う空気層が形成されること、
球殻内に第１製氷室が形成されること、
下部フランジの下面を外装筒の上端面に当接させた状態で、球殻を内カップ体上部内に収納し、内カップと下半球殻により第２製氷室が形成されること、
上部フランジと下部フランジの角部の位置をずらした状態で、上部フランジの角部を引上げ摘み片とすること、
にある。
【００１１】
請求項１記載の上記構成の容器は、球殻上部、球殻下部、内カップ体および外カップの部材を有し、下に示すような手順で各部材を組付け、水を入れ球形氷を製造する容器として使用される。
すなわち、
１．外カップの上端面に外鍔周片の下面を当接させた状態で、内カップを外カップ内に収納し、この内カップの上部に立設された外装筒の上まで水を入れる。
２．球殻上部と球殻下部を回動可能にアンダーカット状に密嵌合組付けし、上半球殻と下半球殻で球殻を形成、球形の第１製氷室を形成する。
３．１．の水の入った内カップ体内に、２．の球殻をゆっくり止まるまで押し込む。この際球殻下部の内側筒に付設された下部フランジが内カップ体の外装筒の上端面に当接することにより上記押し込みの限界が決まる。
４．水は主として、上半球殻の頂部に形成された空気孔から空気を逃がしながら、下半球殻の底部に形成された小孔を通して、球殻内部（第１製氷室）を満たす。
【００１２】
上記のように各部材を組付け、水を入れた状態で冷凍庫内に設置すると、内カップの側面および底部を囲む空気層の作用効果により、第１製氷室の上部より結氷が始まり、結氷は徐々に下方へと進行するが、水中に含まれる気泡は結氷による体積膨張により未結氷の水に伴って下半球殻の小孔を通過して第２製氷室に移動する、この結果、最も遅れて結氷する第２製氷室の略中央部分は気泡で白濁した状態となるが、第１製氷室では気泡のない透明で球形の氷が形成される。
【００１３】
なお、結氷の進行に従って体積が膨張するが、第１製氷室では水が主として小孔から第２製氷室に流出し、第２製氷室では球殻が内カップ体内で若干上に移動することによりこの体積膨張分が吸収される。
【００１４】
次に第１製氷室に形成された球形氷の取り出しは、容器から外カップを取り外し、全体に軽く水をかけ第２製氷室の氷と共に内カップ体を取り外す。
【００１５】
次に球殻下部から球殻上部を取り外すが、従来の容器では球殻上部と球殻下部とを容易に引き離す手段が無く、嵌合部等の隙間における氷結、上半球殻あるいは下半球殻と球形氷との氷結を十分解除するため、何度も水を懸けたり、数分間放置したりして手間と時間を要すると共に、かなりの力を要する。
【００１６】
第１請求項の構成では、周縁形状を矩形状とした球殻上部の上部フランジと球殻下部の下部フランジの位置を回動してその角部の位置をずらすことにより、球殻上部の上部フランジの角部を引上げ摘み片とすることができ、この引き上げ摘み片を利用して、アンダーカット状に嵌合した球殻上部と球殻下部を容易に短時間に引き離すことが可能となった。
【００１７】
なお、ここで球殻上部の上部フランジと球殻下部の下部フランジを同じ周縁形状としておけば、両フランジを同じ向きに重ねる様に位置させることにより、製品としてコンパクトに包装、箱詰め、輸送、陳列ができる。
【００１８】
また、製氷後の上部フランジの回動は氷結のため比較的力が必要となるので、使用の際には、引上げ摘み片としての機能が発揮できる様に上部フランジと下部フランジの角部を予めずらした状態にして容器を組み立てるのが好ましい。
【００１９】
また上記の様に予めずらして配置しておくことにより、上部フランジの角部側面に指を引っ掛ける様にして、球殻上部と球殻下部とを相対的に細かく往復回動状に動かすことにより、球形氷と上半球殻あるいは下半球殻との氷結、嵌合部分の氷結を緩和することが可能となる。
【００２０】
請求項２記載の発明の手段は、請求項１記載の発明において、上部フランジおよび下部フランジの周縁形状を略正４角形とすること、にある。
【００２１】
請求項２記載の上記構成により、上部フランジの周縁形状を略正４角形とすることにより、包装、保管がし易くなると共に、引上げ摘み片の摘み代を十分確保することができる。
【００２２】
【発明の実施の形態】
以下、本発明の一実施例を、図面を参照しながら説明する。
図１〜５は本願発明の球形氷製造容器の一実施例を示し、本実施例の容器は外カップ２７、内カップ体２１、球殻下部１１および球殻上部１の５つの部材から構成される。
【００２３】
外カップ２７は有底円筒状であり、内カップ体２１は外カップ２７に比較して高さ、胴部の径が共に小さい有底円筒状の内カップ２２の上端に外鍔周片２３を介して外装筒２４を立設し、さらに外鍔周片２３の下面、周縁直近から外カップ２７の上端部に嵌入する嵌入筒片２５を垂下設した構成である。
【００２４】
球殻下部１１は、底部に複数の小孔１３を形成した下半球殻１２を有し、この下半球殻１２の上端周縁から鍔片１４を介して内面に係止周状１６を形成し、内カップ２２の上端部に緩やかに内接する係止筒片１５を立設し、さらにこの係止筒片１５の上端から鍔周片１８を介して内カップ体２１の外装筒２４に緩やかに内接する内側筒１７を立設し、この内側筒１７の上端に外鍔状に周縁の形状が略正４角形状の下部フランジ１９を付設した構成である。
【００２５】
球殻上部１は、頂部に空気孔３を形成した上半球殻２を有し、この上半球殻２の外表面下端周縁には、球殻下部１１の係止周状１６に係止する係止周片４が周設され、この係止周片４の直上からは円筒状の起立筒５が立設され、この起立筒５の上端には、その周縁形状を球殻下部１１の下部フランジ１９と同じにした上部フランジ６が外鍔状に付設した構成である。
【００２６】
次に製氷に使用する際の組み立て手順の一例を示す。
嵌入筒片２５を外カップ２７の上端部に嵌入させ、外鍔周片２３の周縁部を上端面に当接させ、内カップ２２を内部に収納させた状態で、外カップ２７に内カップ体２１を組み付け、外装筒２４の上まで内カップ体２１内に水を入れる。
この際内カップ２２の側面および底部を囲むようにして空気層３３が形成されている。
【００２７】
球殻上部１と球殻下部１１を係止周片４と係止周状１６によりアンダーカット状に回動可能に密に組付け、上半球殻２と下半球殻１２で球殻９を形成し、その内部が球形の第１製氷室３１となる。この際、上部フランジ６と下部フランジ１９の方向を４５°ずらした状態で組付ける。（図２の２点鎖線で示した状態。）
【００２８】
次に、水の入った内カップ体２１内の上部に、球殻９をゆっくり押し込む。この際、球殻下部１１の下部フランジ１９と内カップ体の外装筒２４の上端面との当接より決まる押し込み限界位置で、球殻９を内カップ体２１の上部内に位置させると共に、下半球殻１２の下に第２製氷室３２を形成する。
【００２９】
また外装筒２４に内側筒１７を緩やかに内接させながら押し込むことにより押し込みの位置決めができ、スムーズな押し込みが可能となる。
【００３０】
上記の押し込みの過程で、水は上半球殻２の頂部に形成された空気孔３から空気を逃がしながら、下半球殻１２の底部に形成された小孔１３を通して第１製氷室に浸入して、球殻９内部を満たす。
【００３１】
上記のように各部材を組付け、水を入れた状態で冷凍庫内に容器を設置すると、内カップ２２の側面および底部を囲む空気層３３の作用効果により、第１製氷室３１の上部より結氷が始まり、結氷は徐々に下方へと進行するが、水中に含まれる気泡は結氷による体積膨張により未結氷の水に伴って下半球殻１２の小孔１３を通過して第２製氷室３２に移動し、この結果、最も遅れて結氷する第２製氷室３２の略中央部分は気泡３４で白濁した状態となるが、第１製氷室３１では気泡のない透明で球形の氷が形成される。
【００３２】
なお、第２製氷室３２では球殻９全体が内カップ体２２内で上部に移動することにより結氷による体積膨張分を吸収する。
【００３３】
次に第１製氷室３１に形成された球形氷の取り出しは、容器から外カップ２７を取り外し、全体に水をかけ第２製氷室３２の氷と共に内カップ体を取り外す。
【００３４】
次に球殻下部１１から球殻上部１を取り外すが、この際、球殻上部１の上部フランジ６を矩形球殻下部１１の下部フランジ１９から４５°ずらして位置させているので、その角部を引上げ摘み片８として利用して、指で摘みながら引き上げることにより容易に、短時間に取り外すことができる。
【００３５】
また、上記引上げ摘み片８の側部に指を引っ掛けて上半球殻２と下半球殻１２を相対的に細かく往復回動状に動かすことにより、球形氷と上半球殻２あるいは下半球殻１２との氷着、嵌着部分の氷着を緩和することができ、引上げ摘み片８を利用しての引き上げ操作がより容易となる。
【００３６】
【発明の効果】
本発明は、上記した構成となっているので、以下に示す効果を奏する。
請求項１記載の発明にあっては、容器の上部に付設した上部フランジの角部を引上げ摘み片として利用することにより、製氷後の球形氷を容易に、かつ手早く取り出すことができる。
【００３７】
請求項２記載の発明にあっては、上部フランジの周縁形状を略正４角形とすることにより、包装、保管がし易くなると共に、指での摘み代を十分確保することができる。
【図面の簡単な説明】
【図１】本発明の容器の一実施例を示す、縦断正面図。
【図２】図１に示した実施例の、上面図。
【図３】図１に示した実施例の球殻上部を示す、斜視図。
【図４】図１に示した実施例の球殻下部を示す、斜視図。
【図５】図１に示した実施例の内カップ体を示す、斜視図。
【図６】従来例を示す、（ａ）上面図、および（ｂ）縦断正面図。
【図７】図６に示した従来例の球殻上部、球殻下部および内カップ体を斜視図で示す、分解説明図。
【符号の説明】
１、１’；  球殻上部
２；  上半球殻
３；  空気孔
４、４’；  係止周片
５；  起立筒
６；  上部フランジ
７、７’；  摘み片
８；  引上げ摘み片
９；  球殻
１１、１１’；  球殻下部
１２、１２’；  下半球殻
１３、１３’；  小孔
１４；  鍔片
１５；  係止筒片
１６、１６’；  係止周条
１７；  内側筒
１８；  鍔周片
１９；  下部フランジ片
２１、２１’；  内カップ体
２２；  内カップ
２３；  外鍔周片
２４；  外装筒
２５；  嵌入筒片
２７、２７’；  外カップ
３１、３１’；  第１製氷室
３２、３２’；  第２製氷室
３３、３３’；  空気層
３４、３４’；  気泡
【図１】
2004177087.tif 000003
【図２】
2004177087.tif 000004
【図３】
2004177087.tif 000005
【図４】
2004177087.tif 000006
【図５】
2004177087.tif 000007
【図６】
2004177087.tif 000008
【図７】
2004177087.tif 000009